【事件の表示】
　平成１１年特許願第　４１１６８号「双方向リモコン制御システム」拒絶査定不服審判事件〔平成１２年　９月　８日出願公開、特開２０００−２４４９８９〕について、次のとおり審決する。
【結　論】
　本件審判の請求は、成り立たない。
【理　由】
第１　手続の経緯・本願発明
　本願は、平成１１年２月１９日の出願であって、その請求項１乃至４に係る発明は、特許請求の範囲の請求項１乃至４に記載された事項により特定される次のとおりものである。（以下、「本願発明１乃至４」という。）
「【請求項１】
　電子機器と、この電子機器を制御するリモコンとからなり、
　前記電子機器は、
　機器本体を制御するのに必要なボタン、アイコン等を表示する表示手段と、
　前記表示手段に表示されたボタン、アイコン等の表示情報を格納する表示情報格納手段と、
　前記表示情報格納手段に格納されている表示情報を前記リモコンに送信する送信手段とを備え、
　前記リモコンは、
　前記電子機器から送信されてくる表示情報を受信して格納する受信情報格納手段と、
　前記受信情報格納手段に格納されている表示情報を表示する表示手段と、
　前記表示手段に表示されているボタン、アイコン等が操作されたことを検知する検知手段と、
　前記検知手段で操作が検知されたボタン、アイコン等の検知情報を前記電子機器に送信する送信手段とを備え、
　前記電子機器はさらに、
　前記送信手段から送信されてくる検知情報を受信して格納する受信情報格納手段と、
　前記受信情報格納手段に格納されている検知情報に応じて制御する制御手段とを備えたことを特徴とする双方向リモコン制御システム。
　【請求項２】
　前記リモコンは、リモコン本体で表示できる画面の大きさ等の表示能力を前記電子機器に送信する表示能力送信手段をさらに備え、
　前記電子機器は、前記リモコンから送信されてくる表示画面の大きさ等の表示能力を受信し、この受信した表示能力に応じて前記リモコン側に送信するボタン、アイコン等の表示情報を変更する表示情報変更手段をさらに備えたことを特徴とする請求項１に記載の双方向リモコン制御システム。
　【請求項３】
　前記リモコンは、リモコン本体で表示できる画面の大きさ等の表示能力を格納する表示能力格納手段と、前記電子機器から送信されてきた表示情報が、リモコン本体で表示できる画面の大きさ等の表示能力を超えているかどうかを判定する受信情報表示可否判定手段と、この受信情報表示可否判定手段によって表示能力を超えていると判定された場合には、送信されてきた表示情報をリモコン本体の表示能力で表示できるように変更する表示情報変更手段とをさらに備えたことを特徴とする請求項１に記載の双方向リモコン制御システム。
　【請求項４】
　前記電子機器は、前記リモコンの表示能力を検出するための検出用表示情報を作成する検出用表示情報作成手段と、前記検出用表示情報作成手段で作成した検出用表示情報を前記リモコンに送信する送信手段と、検出用表示情報に対する前記リモコンからの応答信号を判定することで、前記リモコンが持っている表示画面の大きさ等の表示能力を判定するリモコン表示能力判定手段と、このリモコン表示能力判定手段によって判定した結果に応じて、前記リモコンに送信するボタン、アイコン等の表示情報を変更する表示情報変更手段とをさらに備えたことを特徴とする請求項１に記載の双方向リモコン制御システム。」
　
第２　当審の拒絶理由
　当審において、平成１７年１２月１２日付けで次のとおりの拒絶理由を通知した。
『・・・請求項１に対して
１　手続きの経緯・本願発明
　本願は、平成１１年２月１９日の出願であって、その請求項１に係る発明は、特許請求の範囲の請求項１に記載された事項により特定される次のとおりのものである。（以下、「本願発明１」という。）
　「【請求項１】電子機器と、この電子機器を制御するリモコンとからなり、
　前記電子機器は、機器本体を制御するのに必要なボタン、アイコン等を表示する表示手段と、前記表示手段に表示されたボタン、アイコン等の表示情報を格納する表示情報格納手段と、前記表示情報格納手段に格納されている表示情報を前記リモコンに送信する送信手段とを備え、
　前記リモコンは、前記電子機器から送信されてくる表示情報を受信して格納する受信情報格納手段と、前記受信情報格納手段に格納されている表示情報を表示する表示手段と、前記表示手段に表示されているボタン、アイコン等が操作されたことを検知する検知手段と、前記検知手段で操作が検知されたボタン、アイコン等の検知情報を前記電子機器に送信する送信手段とを備え、 
　前記電子機器はさらに、前記送信手段から送信されてくる検知情報を受信して格納する受信情報格納手段と、前記受信情報格納手段に格納されている検知情報に応じて制御する制御手段とを備えたことを特徴とする双方向リモコン制御システム。」 
２　引用刊行物に記載された発明 
　引用刊行物１：特開平１０−２７１５７３号公報 
　記載事項（１） 
　「【００２０】 
　【発明の実施の形態】図１は、本発明の実施の形態の構成例の概要を示す図である。この図に示すように、本実施の形態では、リモートコントローラ１０が、制御しようとする電気機器（この例では、テレビジョン受像機１００）の方向に向けられると、テレビジョン受像機１００が、リモートコントローラ１０の動作環境を設定するための設定データ（詳細は後述する）を送信するようになされている。 
　【００２１】リモートコントローラ１０は、受信した設定データに応じて操作ボタンなどをＬＣＤ（Liquid Crystal Display）に表示するとともに、設定データに含まれている制御プログラムに従って制御を行う。リモートコントローラの動作環境の設定が終了した後、ユーザがＬＣＤに表示されている操作ボタンを操作すると、ＬＣＤと重ねて配置されているタッチタブレットにより操作位置が検出され、操作された操作ボタンに対応する制御コマンドが設定データから読み出され、テレビジョン受像機１００に対して送信される。その結果、リモートコントローラ１０によりテレビジョン受像機１００の制御が可能となる。」（４頁５欄２５〜４５行） 
　記載事項（２） 
　「【００２２】図２は、図１に示すリモートコントローラ１０の電気的な構成例を示すブロック図である。 
　【００２３】この図において、ＣＰＵ（Central Processing Unit）２０（設定手段、比較手段、更新手段）は、各種演算を行うとともに、装置の各部を制御するようになされている。ＲＯＭ（Read Only Memory）２１は、装置を制御するための基本的なプログラムやデータが格納されている。ＲＡＭ（Random Access Memory）２２（記憶手段）は、電気機器から送信された設定データを格納するとともに、ＣＰＵ２０が演算を行う際に、データを一時的に格納するようになされている。ＩＦ（Interface）２３は、ＣＰＵ２３が、ＩＲ発光部２５（送信手段）、ＩＲ受光部２６（受信手段）、ＬＣＤ２７（表示手段）、または、タッチタブレット２８（検出手段）とデータをやりとりする際に、データ形式を適宜変換するようになされている。また、ＣＰＵ２０、ＲＯＭ２１、ＲＡＭ２２、および、ＩＦ２３は、バス２４を介して相互に接続されている。 
　【００２４】ＩＲ（Infra Red）発光部２５は、例えば、赤外線ＬＥＤ（Light Emitting Diode）などにより構成されており、赤外線を制御コマンドに応じて変調して送信するようになされている。ＩＲ受光部２６は、例えば、赤外線フォトダイオードなどにより構成されており、電気機器から送信された赤外線を受信し、対応する電気信号に変換するようになされている。 
　【００２５】ＬＣＤ２７は、電気機器から伝送されてきた設定データに応じて、操作ボタンなどを示す画像を表示するようになされている。タッチタブレット２８は、透明な部材により構成されており、また、ＬＣＤ２７上に配置されているので、このタッチタブレット２８を介してＬＣＤ２７に表示されている画像を観察することができる。」（４頁５欄４６〜６欄２７行）
　記載事項（３） 
　「【００２６】図３は、テレビジョン受像機１００の電気的な構成例を示すブロック図である。 
　【００２７】この図において、ＣＰＵ１１０（読み出し手段）は、各種演算を行うとともに、装置の各部を制御するようになされている。ＲＯＭ１１１（記憶手段）は、装置を制御するための基本的なプログラムや各電気機器に特有のＩＤコードなどが格納されている。ＲＡＭ１１２は、ＣＰＵ１１０が演算を行う際に、データを一時的に格納するようになされている。ＩＦ１１３は、ＣＰＵ１１０が、ＩＲ発光部１１５（送信手段）、ＩＲ受光部１１６（受信手段）、または、チューナ部１１７とデータをやりとりする際に、データ形式を適宜変換するようになされている。また、ＣＰＵ１１０、ＲＯＭ１１１、ＲＡＭ１１２、および、ＩＦ１１３は、バス１１４を介して相互に接続されている。 
　【００２８】ＩＲ発光部１１５は、例えば、赤外線ＬＥＤなどにより構成されており、赤外線を制御コマンドなどに応じて変調して送信するようになされている。ＩＲ受光部１１６は、例えば、赤外線フォトダイオードなどにより構成されており、リモートコントローラから送信された赤外線を受信し、対応する電気信号に変換するようになされている。 
　【００２９】チューナ部１１７は、所定のチャンネルの放送電波を選択的に受信するとともに、受信した放送電波を画像信号に変換して、ブラウン管１１８に出力するようになされている。ブラウン管１１８は、チューナ部１１７から出力された電気信号を画像として表示出力するようになされている。」（４頁６欄２８行〜５頁７欄５行） 
　記載事項（４） 
　「【００３７】図５は、設定データの詳細を示す図である。この図に示すように、設定データは、その電気機器（この例では、テレビジョン受像機１００）に固有のＩＤコード４０、ＬＣＤ２７に表示する操作ボタンの画像とその配列を示す操作ボタン配列データ４１、電気機器を制御するための制御コードデータ４２、および、リモートコントローラ１０を制御するための制御プログラム４３により構成されている。」（５頁８欄２〜９行） 
　記載事項（５） 
　「【００３８】図４に戻って、続くステップＳ５では、ＣＰＵ２０は、データの受信が完了したか否かを判定する。その結果、全ての設定データの受信が完了していない（ＮＯ）と判定した場合は、ステップＳ４に戻り、前述の場合と同様の処理を繰り返す。また、全ての設定データの受信が完了した（ＹＥＳ）と判定した場合には、ステップＳ６に進む。 
　【００３９】ステップＳ６では、ＣＰＵ２０は、ＲＡＭ２２に格納されている設定データから、操作ボタンの画像とその配置を示す操作ボタン配列データ４１を読み出し、ＬＣＤ２７に操作ボタンを表示する。その結果、ＬＣＤ２７には、例えば、図６に示すような画像が表示されることになる。 
　【００４０】図６に示す例では、ＬＣＤ２７の最上部に、“ＴＶ”が表示されており、現在このリモートコントローラ１０がテレビジョン受像機１００を制御可能であることを示している。その次に表示されている数字ボタン１２乃至２１は、例えば、受信するチャンネルを選択する際に操作される。中央部の上から４段目に表示されている音声切換ボタン２２は、例えば、出力する音声として、主音声または副音声の何れかを選択する際に操作されるようになされている。音声切換ボタン２２の右隣りに表示されているミュート（MUTE）ボタン２３は、音声出力を一時的に停止する場合に操作される。最下段左側に表示されているボリュームボタン２４，２５は、音声の出力レベルを増加または減少させる場合に操作される。チャンネルボタン２６，２７は、受信するチャンネルを増減させる場合に操作されるようになされている。 
　【００４１】図４に戻って、続くステップＳ７では、ＣＰＵ２０は、ＲＡＭ２２に格納されている設定データのうち、制御プログラム４３を一処理単位ずつ逐次読み出して実行する。この制御プログラム４３には、ＬＣＤ２７に表示されている操作ボタンが操作された場合の一連の処理が記述されているので、このプログラムが実行されると、リモートコントローラ１０はテレビジョン受像機１００専用のリモートコントローラとして使用することが可能となる。なお、この制御プログラム４３の詳細については後述する。」（５頁８欄１０〜４８行） 
　記載事項（６） 
　「【００８２】なお、以上の実施の形態においては、操作ボタンとして、単なるボタンを象った画像を表示するようにしたが、例えば、アイコンやメニューなどの、いわゆるＧＵＩ（Graphical User Interface）を構成する他の画像を表示するようにしてもよい。」（８頁１３欄４４〜４８行） 
３　対比  
　引用刊行物１において、記載事項（３）には、「【００２７】・・・ＲＯＭ１１１（記憶手段）は、装置を制御するための基本的なプログラムや各電気機器に特有のＩＤコードなどが格納されている。ＲＡＭ１１２は、ＣＰＵ１１０が演算を行う際に、データを一時的に格納するようになされている。・・・」、記載事項（４）には、「【００３７】図５は、設定データの詳細を示す図である。この図に示すように、設定データは、その電気機器（この例では、テレビジョン受像機１００）に固有のＩＤコード４０、ＬＣＤ２７に表示する操作ボタンの画像とその配列を示す操作ボタン配列データ４１、・・・」、記載事項（６）には、「【００８２】なお、以上の実施の形態においては、操作ボタンとして、単なるボタンを象った画像を表示するようにしたが、例えば、アイコンやメニューなどの、いわゆるＧＵＩ（Graphical User Interface）を構成する他の画像を表示するようにしてもよい。」とそれぞれ記載されているので、本願発明１の「ボタン、アイコン等の表示情報を格納する表示情報格納手段」が開示されている。 
　本願発明１と引用刊行物１に記載された発明を対比すると、 
　両者は、「電子機器と、この電子機器を制御するリモコンとからなり、 
　前記電子機器は、画像を表示する表示手段と、ボタン、アイコン等の表示情報を格納する表示情報格納手段と、前記表示情報格納手段に格納されている表示情報を前記リモコンに送信する送信手段とを備え、 
　前記リモコンは、前記電子機器から送信されてくる表示情報を受信して格納する受信情報格納手段と、前記受信情報格納手段に格納されている表示情報を表示する表示手段と、前記表示手段に表示されているボタン、アイコン等が操作されたことを検知する検知手段と、前記検知手段で操作が検知されたボタン、アイコン等の検知情報を前記電子機器に送信する送信手段とを備え、 
　前記電子機器はさらに、前記送信手段から送信されてくる検知情報を受信して格納する受信情報格納手段と、前記受信情報格納手段に格納されている検知情報に応じて制御する制御手段とを備えたことを特徴とする双方向リモコン制御システム。」である点で一致し、 
　次の点で相違する。 
　ａ）電子機器側の表示手段に表示する画像として、本願発明１は、リモコン側の表示手段に表示する画像と同様である「機器本体を制御するのに必要なボタン、アイコン等」を用いているのに対し、引用刊行物１に記載された発明は、そのように構成されていない点。 
　ｂ）電子機器側の表示情報格納手段に格納されるボタン、アイコン等の表示情報が、本願発明１は「表示手段に表示された」ものであるのに対して、引用刊行物１に記載された発明は、そのように構成されていない点。 
４　当審の判断 
　上記相違点ａ）について検討する。 
　リモコン装置において、電子機器側に、電子機器側の表示手段に表示する画像として、リモコン側の表示手段に表示する画像と同様である機器本体を制御するのに必要なボタン、アイコン等を用いることは、周知技術（例えば、特開平９−３２２０１３号公報、特開平６−２４５２６８号公報）であり、その周知技術を引用刊行物１に記載された発明に適用することには格別の困難性が存在しないため、上記相違点ａ）は、当業者が容易に想到し得る程度のものである。 
　上記相違点ｂ）について検討する。 
　リモコン装置において、電子機器側に、電子機器側の表示手段に表示する画像として、リモコン側の表示手段に表示する画像と同様である機器本体を制御するのに必要なボタン、アイコン等を用いる場合には、電子機器側の表示情報格納手段に格納されるボタン、アイコン等の表示情報が、表示手段に表示されたものとなることは当然であるから、上記相違点ｂ）には格別の意味が存在しない。 
　そして、本願発明１の作用効果も、引用刊行物１及び周知技術から当業者が予測できる範囲のものである。 
５　むすび 
　したがって、本願発明１は、引用刊行物１に記載された発明に基づいて、当業者が容易に発明をすることができたものであるので、特許法第２９条第２項の規定により特許を受けることができない。 
　
　・・・請求項２乃至４に対して 
　引用刊行物１：特開平１０−２７１５７３号公報 
　引用刊行物２：特開平９−３２２０１３号公報 
　引用刊行物３：特開平６−２４５２６８号公報 
　請求項２乃至４に係る発明は、引用刊行物１、２、３に記載された発明に基づいて、当業者が容易に発明をすることができたものであるので、特許法第２９条第２項の規定により特許を受けることができない。』
　
第３　当審の判断 
　平成１７年１２月１２日付けの拒絶の理由に対して、期間を指定して意見書を提出する機会を与えたが、請求人からは何らの応答もない。そこで、再度、上記の拒絶の拒絶理由を検討したが、上記の拒絶の理由は妥当なものと認められる。
　
第４　むすび
　したがって、本願発明１乃至４は、引用刊行物１，引用刊行物２及び引用刊行物３に記載された発明に基づいて、当業者が容易に発明をすることができたものであるから、特許法第２９条第２項の規定により特許を受けることができない。
　よって、結論とおり審決する。